(57)【要約】【課題】電子ペーパーで構成される表示画面に表示された情報がいつ更新されたものかを、使用者が容易に判断することができる情報表示システムを提供すること。【解決手段】電子的に書き換え可能な電子ペーパーで構成される表示画面１４を有する表示装置３を備える情報表示システムであって、表示装置３の表示画面１４には、表示画面１４に表示される表示情報が更新された更新時を表示する更新時表示部３ｂが設けられ、更新時表示部３ｂは、表示画面１４に対して電力供給が停止された状態において、更新時の表示状態を維持する。【選択図】図３
2009133951.tif 000002
【特許請求の範囲】
【請求項１】
電子的に書き換え可能な電子ペーパーで構成される表示画面を有する表示装置を備える情報表示システムであって、
前記表示装置の表示画面には、該表示画面に表示される表示情報が更新された更新時を表示する更新時表示部が設けられ、該更新時表示部は、前記表示画面に対して電力供給が停止された状態において、前記更新時の表示状態を維持することを特徴とする情報表示システム。
【請求項２】
前記表示装置と無線通信手段を介して接続されて前記表示装置の表示画面に表示される表示情報を更新する管理装置を備え、
前記管理装置は、現在時刻を計時するクロックを有し、該クロックにて計時された時刻情報を前記表示装置に送信するとともに、前記表示装置は、前記管理装置から受信した時刻情報に基づいて前記更新時表示部の更新時を書き換えることを特徴とする請求項１に記載の情報表示システム。
【請求項３】
前記表示装置は、現在時刻を計時するクロックを有し、該表示装置は、前記表示画面を書き換えるときに、前記クロックにて計時された時刻情報に基づいて前記更新時表示部の更新時を書き換えることを特徴とする請求項１に記載の情報表示システム。
【請求項４】
前記更新時表示部は、数字以外の記号を表示することで前記表示情報が更新された所定の更新時間帯を示すことを特徴とする請求項１ないし３のいずれかに記載の情報表示システム。
【請求項５】
複数の前記表示装置を着脱自在に配置できる配置面を有するパネル体を備え、
各々の前記表示装置は、前記パネル体の配置面における前記表示装置の配置位置に応じて異なる更新時を前記更新時表示部に表示することを特徴とする請求項１ないし４のいずれかに記載の情報表示システム。
【請求項６】
前記表示装置に対して無線により電力を供給する電力供給手段を備え、
前記電力供給手段から供給された電力を用いて前記表示装置の表示画面を書き換えることを特徴とする請求項１ないし５のいずれかに記載の情報表示システム。
【発明の詳細な説明】
【技術分野】
【０００１】
本発明は、電子的に書き換え可能な電子ペーパーで構成される表示画面を有する表示装置を備える情報表示システムに関する。
【背景技術】
【０００２】
従来、スーパーマーケット等で用いられる棚札システム（情報表示システム）では、管理サーバに記録された商品情報（表示情報）を、商品が載置されている商品棚に取り付けられた棚札（表示装置）に無線通信にて送信し、棚札に設けられた電子ペーパーで構成される表示画面に商品情報に含まれる商品名や値段、商品の消費期限を表示させるとともに、棚札に設けられた温度センサにより検出した商品庫内の庫内温度等を表示させている（例えば、特許文献１参照）。
【０００３】
【特許文献１】特開２００７−１１１１３７号公報（第６頁、第４図）
【発明の開示】
【発明が解決しようとする課題】
【０００４】
しかしながら、特許文献１に記載の棚札システムにあっては、電子ペーパーは、表示情報を書き換えるときだけ電力を消費するようになっており、棚札（表示装置）の不使用時など、電子ペーパーに電力が供給されていない状態でも、その表示状態が維持されるため、庫内温度等の常に更新される情報を表示させた場合には、その表示情報が新しく更新されたものか否かの判断を、使用者が容易に行うことができないという問題がある。
【０００５】
本発明は、このような問題点に着目してなされたもので、電子ペーパーで構成される表示画面に表示された情報がいつ更新されたものかを、使用者が容易に判断することができる情報表示システムを提供することを目的とする。
【課題を解決するための手段】
【０００６】
前記課題を解決するために、本発明の請求項１に記載の情報表示システムは、
電子的に書き換え可能な電子ペーパーで構成される表示画面を有する表示装置を備える情報表示システムであって、
前記表示装置の表示画面には、該表示画面に表示される表示情報が更新された更新時を表示する更新時表示部が設けられ、該更新時表示部は、前記表示画面に対して電力供給が停止された状態において、前記更新時の表示状態を維持することを特徴としている。
この特徴によれば、表示画面の表示情報が更新された後に、表示画面に対して電力供給が停止されても、更新時が更新時表示部に表示されつづけるため、使用者は、更新時表示部を視認することで、表示情報がいつ更新されたものかを容易に判断することができる。
尚、更新時表示部を表示画面に設けることで、表示情報を表示させる電子ペーパーを兼用して更新時表示部を設けることができ、表示装置を構成する部品点数を減らすことができるばかりか、表示情報の書き換えと更新時の書き換えを同時に行うことができ、表示装置の消費電力も抑えられる。
【０００７】
本発明の請求項２に記載の情報表示システムは、請求項１に記載の情報表示システムであって、
前記表示装置と無線通信手段を介して接続されて前記表示装置の表示画面に表示される表示情報を更新する管理装置を備え、
前記管理装置は、現在時刻を計時するクロックを有し、該クロックにて計時された時刻情報を前記表示装置に送信するとともに、前記表示装置は、前記管理装置から受信した時刻情報に基づいて前記更新時表示部の更新時を書き換えることを特徴としている。
この特徴によれば、常に電力を消費するクロックを表示装置に設ける必要がなくなり、表示装置は表示情報を書き換えるときのみ電力を使用すればよく、表示装置の消費電力を抑えられる。また、複数の表示装置の更新時を管理装置が一括して管理できるようになり、クロックにおける現在時刻の誤差を修正するメンテナンス等を容易に行える。
【０００８】
本発明の請求項３に記載の情報表示システムは、請求項１に記載の情報表示システムであって、
前記表示装置は、現在時刻を計時するクロックを有し、該表示装置は、前記表示画面を書き換えるときに、前記クロックにて計時された時刻情報に基づいて前記更新時表示部の更新時を書き換えることを特徴としている。
この特徴によれば、表示画面の表示情報を書き換えるときに、表示装置がクロックに基づいて自動的に更新時表示部の更新時を書き換えることができ、情報表示システムの制御を簡素化できる。また、表示装置には、表示情報のみの更新データを入力すればよくなり、表示装置に入力するデータ量を抑えることができる。
【０００９】
本発明の請求項４に記載の情報表示システムは、請求項１ないし３のいずれかに記載の情報表示システムであって、
前記更新時表示部は、数字以外の記号を表示することで前記表示情報が更新された所定の更新時間帯を示すことを特徴としている。
この特徴によれば、主に数字等で表示される表示情報や現在時刻等と、更新時を表示する更新時表示部とを、明確に異なる表示態様とすることができ、使用者が更新時とその他の情報とを混同する虞がなくなり、かつ更新時を所定の時間帯に含まれるものとして表示させることで、数字以外の記号の表示であっても、表示画面に表示される表示情報が新しく更新されたものか否かを、使用者が容易に判断することができる。
【００１０】
本発明の請求項５に記載の情報表示システムは、請求項１ないし４のいずれかに記載の情報表示システムであって、
複数の前記表示装置を着脱自在に配置できる配置面を有するパネル体を備え、
各々の前記表示装置は、前記パネル体の配置面における前記表示装置の配置位置に応じて異なる更新時を前記更新時表示部に表示することを特徴としている。
この特徴によれば、複数の表示装置をパネル体に設置することで、複数の表示装置に表示される表示情報を一括して把握することができ、かつ各々の表示装置の配置位置に応じて更新時が異なっていても、新しい表示情報と古い表示情報を容易に識別することができる。
【００１１】
本発明の請求項６に記載の情報表示システムは、請求項１ないし５のいずれかに記載の情報表示システムであって、
前記表示装置に対して無線により電力を供給する電力供給手段を備え、
前記電力供給手段から供給された電力を用いて前記表示装置の表示画面を書き換えることを特徴としている。
この特徴によれば、表示装置に表示画面を書き換えるための電力を供給する内蔵バッテリを搭載したり、有線ケーブルにて電力を供給したりする必要が無くなり、表示装置を軽量化したり、表示装置の配置位置の変更を容易に行うことができる。
【発明を実施するための最良の形態】
【００１２】
本発明に係る情報表示システムを実施するための最良の形態を実施例に基づいて以下に説明する。
【実施例１】
【００１３】
本発明の実施例を図面に基づいて説明すると、先ず図１は、実施例１における集配監視システムを示す正面図であり、図２は、パネル体の内部構造を示す一部破断拡大図であり、図３は、表示装置を示す正面図であり、図４は、表示装置がパネル体に取り付けられている状態を示す横断平面図であり、図５は、図３における表示装置の表示画面の構造を示す要部拡大断面図であり、図６は、集配監視システムの構成を示すブロック図であり、図７は、記憶装置に記憶されている履歴テーブルを示す図である。以下、図１、図２、図３の紙面手前側を表示装置及びパネル体の正面側とし、図４の紙面下方側を表示装置の正面側（前方側）とし、図５の紙面上方側を表示装置の正面側（前方側）として説明する。
【００１４】
図１の符号１は、本発明の適用された情報表示システムとしての集配監視システムである。この集配監視システム１は、運送会社の全国の集配所を統括して管理する本部集配所に設けられ、各県に設けられた集配所の入庫状況や出庫状況や保管状況を一括して把握し、管理するためのシステムである。
【００１５】
この集配監視システム１は、垂直に立設されて略垂直面をなす配置面２ａを有する一枚の板状のパネル体２と、パネル体２の配置面２ａに着脱自在に取り付けられる複数の表示装置３と、表示装置３に無線通信手段を介して接続されて表示装置３の表示画面３ａに表示される表示情報を更新する本実施例における管理装置としての管理サーバ４と、により構成されている。尚、複数の表示装置３には、それぞれの表示装置３を識別可能な表示装置ＩＤが付与されている。
【００１６】
パネル体２は、表示装置３を使用者から視認できるように取り付ける配置面２ａを有しており、この配置面２ａには、簡略化された日本地図がプリントされている。日本地図はそれぞれの県毎に区画されている。この区画された各県は表示装置３が配置される配置位置と対応しており、県毎に表示装置３を取り付けることによって、各県の集配所での荷物の集配状況を表示情報として表示装置３の表示画面３ａに表示させている。
【００１７】
尚、パネル体２の配置面２ａに簡略化された日本地図がプリントされていることにより、使用者は、表示装置３が配置面２ａにおけるどの位置に貼り付けられているのかを認識することで、その表示装置３の表示情報が、どの県の集配所の集配状況であるかを直感的に理解することができる。つまり、配置面２ａにプリントされた簡略化された日本地図が、表示装置３に関連する補助的な情報を与える補助情報付与手段となっている。
【００１８】
図６に示すように、管理サーバ４には、各県の集配所と通信を行うための通信部７と、現在時刻を計時するＲＴＣ８（リアルタイムクロック）と、パネル体２の配置面２ａにおける表示装置３が取り付けられた配置位置などが登録されたデータベースを有する記憶装置９と、各表示装置３に対して無線通信を行うための親機アンテナ１０と、パネル体２の配置面２ａにおける各県毎に関連した表示情報が更新する度に各県に相当する配置位置に取り付けられた表示装置３を特定する本実施例における表示装置特定手段としての管理制御回路１１と、が設けられている。
【００１９】
尚、管理サーバ４は電源ケーブル１２により屋内のコンセント等の外部電源と接続されており、この外部電源から供給された電力によって、管理サーバ４が稼動するようになっている。更に尚、管理サーバ４は、通信部７に接続された通信ケーブル６を介して各県の集配所に設けられた管理端末（図示略）とオンラインで接続されている。
【００２０】
各表示装置３には、管理サーバ４に対して無線通信を行うための子機アンテナ１３と、表示装置３の表示画面３ａを構成する電子ペーパー１４と、表示装置３毎に個別の表示装置ＩＤを記憶したＩＣチップを内蔵したＲＦＩＤタグ１５と、表示装置３内で各種制御を行うための表示制御回路１６と、が設けられている。
【００２１】
尚、本実施例では、管理サーバ４に設けられた親機アンテナ１０と、表示装置３に設けられた子機アンテナ１３と、により管理サーバ４と表示装置３との間で無線通信を行うための無線通信手段を構成している。
【００２２】
また、本実施例でのＲＦＩＤタグ１５は、内蔵したＩＣチップを非接触方式（無線方式）で、後述するリーダー１７にて読み取らせる公知のパッシブ型のＲＦＩＤタグを用いているが、パッシブ型のＲＦＩＤタグに限らず、ＲＦＩＤタグが自ら電波を発信してリーダー１７に読み取らせるようにしたアクティブ型のＲＦＩＤタグを用いてもよい。
【００２３】
更に、図４に示すように、表示装置３の背面には、パネル体２の配置面２ａに表示装置３を取り付けるための磁石５（磁性体）が設けられている。尚、特に図示はしないが、この磁石５は表示装置３の背面における左右に設けられ、表示装置３の上下長さ寸法と略同寸法の略長方形状に形成されている。
【００２４】
図２に示すように、パネル体２の内部には、磁性体としての鉄（スチール）等の磁着可能な金属部材で構成され、正面視で格子形状をなすように形成された格子部２７が設けられている。この格子部２７と表示装置３に設けられた磁石５が互いに磁力によって吸引し合うことによって、表示装置３は配置面２ａに着脱自在に取り付けられるようになっている。尚、表示装置３の磁石５と、パネル体２の内部の格子部２７と、により本実施例における磁力取付手段が構成されている。
【００２５】
また、格子部２７の格子の上下及び左右の間隔は表示装置３の上下及び左右長さと略同一に形成されている。こうすることで、表示装置３を配置面２ａに取り付ける際に、磁石５が必ず格子部２７と磁力によって吸引し合うので、表示装置３を配置面２ａ上の任意の場所にとりつけることができる。
【００２６】
更に、図６に示すように、パネル体２には、表示装置３に設けられたＲＦＩＤタグ１５の表示装置ＩＤを読み取る読取手段としてのリーダー１７と、表示装置３に対して電力を供給するコイル２８と、管理サーバ４に対して無線通信を行うためのパネル体アンテナ２９と、パネル体２内で各種制御を行うためのパネル体制御回路３０と、が設けられている。
【００２７】
より詳しくは、図２及び図４に示すように、リーダー１７及びコイル２８はパネル体２の配置面２ａの内部に設けられ、パネル体２の格子部２７の格子間に配置されるように設けられている。そして、リーダー１７とコイル２８は、背面からパネル体２内を通って有線ケーブルを介してパネル体制御回路３０に接続されている。
【００２８】
尚、リーダー１７及びコイル２８は、配置面２ａにおける横方向及び縦方向の座標情報を構成しており、該座標情報と配置面２ａにプリントされた各県とが対応付けられて管理サーバ４の記憶装置９のデータベースに記憶されている。管理サーバ４は、ＲＦＩＤタグ１５を検出したリーダー１７がある座標情報に基づいて、該当する表示装置３の配置位置を検知することができ、これら表示装置３に設けられたＲＦＩＤタグ１５と、パネル体２の配置面２ａに設けられたリーダー１７と、により表示装置３の配置位置を検知する本実施例における配置位置検知手段を構成している。
【００２９】
尚、本実施例では表示装置３に設けられたコイル３１と、パネル体２に設けられたコイル２８と、により表示装置３に対して無線により電力の供給を行う電力供給手段を構成している。また、パネル体２は電源ケーブル１２により屋内のコンセント等の外部電源と接続されており、この外部電源から供給された電力によって、パネル体２が稼動するようになっている。
【００３０】
コイル２８，３１によって表示装置３に電力を供給する具体的な方法について説明すると、パネル体２のコイル２８に対して交流電流を流すことで、コイル２８から発生する電磁波によって、表示装置３のコイル３１に電磁誘導を発生させ、該コイル３１に生じる電力を表示制御回路１６や電子ペーパー１４や子機アンテナ１３に供給するようになっている。この供給された電力を使用することで、表示制御回路１６が表示画面３ａの書き換えを行うことができる。
【００３１】
また、表示制御回路１６には、特に図示はしないが、コイル３１で生じる起電力を整流して直流電圧に変換して供給する整流回路や、整流した直流電力の電圧、及び表示制御回路１６に供給される電流等を検出するための各種検出回路や、整流した電力を電子ペーパー１４に供給するための制御回路が設けられている。
【００３２】
更に、管理サーバ４の記憶装置９には、図７に示すように、表示装置ＩＤと、表示装置３の配置位置と、各県の集配所における入庫、出庫、保有の状況を示す集配状況と、この集配状況が更新された更新時刻と、により構成される履歴テーブルがデータベースに記憶されている。
【００３３】
尚、履歴テーブルについて詳述すると、図７に示すように、各表示装置３の表示装置ＩＤ毎に、表示装置３が取り付けられているパネル体２の配置面２ａにおける配置位置と、集配状況の更新日時と、集配状況としての各県毎の集配所に入庫された荷物数と、集配所から出庫された荷物数と、現在各集配所で保管されている荷物数と、が対応付けて登録されている。
【００３４】
図３に示すように、表示装置３の正面側には、表示情報を表示する電子ペーパー１４により構成された略長方形状をなす表示画面３ａが設けられている。この表示画面３ａには、表示情報としての各県の集配所の集配状況である入庫数、出庫数、保有数と、該当する集配所の県名が表示されている。更に、表示画面３ａの四隅には、表示情報が更新された更新時間帯を示すドット状のセグメント１８が表示される更新時表示部３ｂが設けられている。
【００３５】
尚、管理サーバ４は、履歴テーブルに登録された集配状況を表示情報として表示装置３に送信するようになっており、該表示情報を送信する際に、集配状況が更新された更新時刻情報も同時に送信する。表示装置３は、管理サーバ４から送信された表示情報と更新時刻情報とを受信し、受信した表示情報に基づいて表示画面３ａを書き換えるとともに、受信した更新時刻情報に基づいて、四隅の更新時表示部３ｂのうち、いずれか１つの更新時表示部３ｂのセグメント１８を表示させる。
【００３６】
この四隅のセグメント１８は、表示情報（集配状況）が更新された時間帯によって表示される箇所が変更されるようになっている。例えば、表示情報が０時から６時までの時間帯に更新されたものならば、左上のセグメント１８が表示される。表示情報が６時から１２時までの時間帯に更新されたものならば、右上のセグメント１８が表示される。表示情報が１２時から１８時までの時間帯に更新されたものならば、左下のセグメント１８が表示される。表示情報が１８時から２４時までの時間帯に更新されたものならば、右下のセグメント１８が表示される。
【００３７】
ここで、本実施例で表示画面３ａ及び更新時表示部３ｂを構成する電子ペーパー１４について説明すると、図５に示すように、電子ペーパー１４は、表示装置３内部の基部１９に取り付けられている。また、電子ペーパー１４は、その画面を電子的に書き換え可能な電子機器であり、液晶モニタと異なりバックライト等を用いないため、液晶モニタ等の他の表示画面を有する電子機器と比較して消費電力が少なくて済むようになっている。かつ電子ペーパー１４は、画面の書き換え時のみに電力を使用し、電力が供給されない状態であっても画面の表示内容を維持できるようになっている。
【００３８】
電子ペーパー１４は、カバーフィルム２０の上面に形成された磁気泳動記録層２１と、磁気泳動記録層２１を覆う透明性を有する保護層２２と、から構成されている。磁気泳動記録層２１には、無数の透明なマイクロカプセル２３が封じ込められており、このマイクロカプセル２３の中には、帯電された白と黒の粒子が内包されている。そして、所定の電圧をかけることでマイクロカプセル２３内の粒子を移動させることで、表示画面の書き換えを行うようになっている。
【００３９】
次に、表示装置３がパネル体２に取り付けられた状態で集配監視システム１が行う各種処理を説明する。先ず、表示装置３をパネル体２の配置面２ａに取り付け、コイル２８，３１により表示装置３に電力の供給を開始させる。そして、管理サーバ４に各集配所からの集配状況が送信されてきていない初期状態において、管理制御回路１１は、図７に示す履歴テーブルに記憶された表示装置ＩＤに従って、各々の表示装置３がパネル体２のどの県に取り付けられているかを検知して各々の表示装置３の配置位置を特定する。
【００４０】
具体的には、パネル体制御回路３０がリーダー１７によって表示装置３のＲＦＩＤタグ１５を読み取り、該読み取ったＲＦＩＤタグ１５の表示装置ＩＤと、リーダー１７が配置されている配置面２ａにおける座標情報を管理制御回路１１に送信する。尚、リーダー１７は常にＲＦＩＤタグ１５を読み取れる状態となっており、表示装置３が配置面２ａに取り付けられると自動的にＲＦＩＤタグ１５の表示装置ＩＤを読み取るようになっている。
【００４１】
図７に示すように、管理制御回路１１は、配置面２ａの座標情報に基づいて表示装置３がどの県に配置されているかを特定した表示装置配置位置と、表示装置３の表示装置ＩＤと、を対応付けて履歴テーブルに登録する。そして、管理サーバ４は、各集配所から集配状況のデータがオンラインで送信されてくるまで待機する。
【００４２】
管理制御回路１１は、各県の集配所から集配状況が管理サーバ４に送信されてくると、どの県の集配所から送信されてきたものかを確認した後に、履歴テーブルと照合して、該当する県の配置位置と対応付けられた表示装置ＩＤに関連付けて、集配状況を履歴テーブルに登録する。
【００４３】
また、管理制御回路１１は、集配状況を通信部７で受信すると、ＲＴＣ８より時刻情報である現在時刻を取得し、取得した時刻情報を、更新処理を行った更新時刻として履歴テーブルに登録する。管理制御回路１１は、履歴テーブルによって特定した表示装置３に対して集配状況を表示情報として送信するとともに、該表示情報が更新された更新時刻を送信する。尚、このときパネル体２のコイル２８を作動させて履歴テーブルによって特定した表示装置３に対して電力供給を開始する。
【００４４】
そして、表示装置３の表示制御回路１６は、表示情報に含まれる入庫数、出庫数、保管数、及び県名を、表示画面３ａに表示させる。更に、受信した更新時刻により、表示画面３ａの更新時表示部３ｂに表示させるセグメント１８を判断し、表示画面３ａを更新する際には、更新時表示部３ｂのセグメント１８の表示も更新する。
【００４５】
尚、表示画面３ａの更新が終了すると、パネル体２のコイル２８を停止させて表示装置３に対して電力供給を終了する。表示制御回路１６によって表示装置３に対する電力供給は停止されるが、表示画面３ａは電子ペーパー１４で構成されているため、電力供給が停止された後も更新時の表示状態を維持する。以後、各県の集配所から集配状況が管理サーバ４に送信されてくる度に、履歴テーブルの書き換えと、表示装置３の更新処理を繰返すようになっている。
【００４６】
尚、パネル体２に取り付けられた各表示装置３の配置位置を変更した際には、変更した配置位置において、パネル体２のリーダー１７が表示装置３のＲＦＩＤタグ１５の表示装置ＩＤを自動的に読み取るようになっている。そして、パネル体制御回路３０は、該表示装置ＩＤと、該当する表示装置３が取り付けられた座標情報と、を管理サーバ４に送信するようになっている。
【００４７】
管理サーバ４は、受信した座標情報に基づいて、表示装置３が配置面２ａにおいて、それまでとは違う県の配置位置に取り付けられたか否かを判断し、違う県の配置位置に取り付けられたのであれば、履歴テーブルでの表示装置ＩＤの配置位置と、集配状況の対応付けを変更する。この対応付けの変更に基づいて表示装置３で表示される表示情報を変更する。
【００４８】
尚、本実施例では、管理制御回路１１は、履歴テーブルに記憶されている更新時刻から１８時間経過すると、当該表示装置３の電子ペーパー１４に表示された表示画面３ａと更新時表示部３ｂの表示を消す。このようにすれば、表示情報が更新された時間帯をセグメント１８により表しても、長時間表示情報が更新されないことによる表示情報の新旧の判断の過誤を防止することができる。
【００４９】
以上、本実施例における集配監視システム１では、表示装置３の電子ペーパー１４には、電子ペーパー１４（表示画面３ａ）に表示される表示情報が更新された更新時を表示する更新時表示部３ｂが設けられ、この更新時表示部３ｂは、電子ペーパー１４に対して電力供給が停止された状態において、更新時の表示状態を維持することで、電子ペーパー１４の表示情報が更新された後に、電子ペーパー１４に対して電力供給が停止されても、更新時が更新時表示部３ｂに表示されつづけるため、使用者は、更新時表示部３ｂを視認することで、表示情報がいつ更新されたものかを容易に判断することができる。
【００５０】
尚、更新時表示部３ｂを表示画面３ａに設けることで、表示情報を表示させる電子ペーパー１４を兼用して更新時表示部３ｂを設けることができ、表示装置３を構成する部品点数を減らすことができるばかりか、表示情報の書き換えと更新時の書き換えを同時に行うことができ、表示装置３の消費電力も抑えられる。
【００５１】
また、管理サーバ４は、現在時刻を計時するＲＴＣ８を有し、このＲＴＣ８にて計時された時刻情報を表示装置３に送信するとともに、表示装置３は、管理サーバ４から受信した時刻情報に基づいて更新時表示部３ｂの更新時を書き換えることで、常に電力を消費するＲＴＣ８を表示装置３に設ける必要がなくなり、表示装置３は表示情報を書き換えるときのみ電力を使用すればよく、表示装置の消費電力を抑えられる。また、複数の表示装置３の更新時を管理サーバ４が一括して管理できるようになり、ＲＴＣ８における現在時刻の誤差を修正するメンテナンス等を容易に行える。
【００５２】
また、更新時表示部３ｂは、ドット状のセグメント１８、つまり数字以外の記号を用いて表示情報が更新された所定の更新時間帯を示すことで、主に数字等で表示される表示情報や現在時刻等と、更新時を表示する更新時表示部３ｂとを、明確に異なる表示態様とすることができ、使用者が更新時とその他の情報とを混同する虞がなくなり、かつ更新時を所定の時間帯に含まれるものとして表示させることで、数字以外の記号の表示であっても、表示画面３ａに表示される表示情報が新しく更新されたものか否かを、使用者が容易に判断することができる。
【００５３】
また、複数の表示装置３を着脱自在に配置できる配置面２ａを有するパネル体２を備え、各々の表示装置３は、パネル体２の配置面２ａにおける表示装置３の配置位置に応じて異なる更新時を更新時表示部３ｂに表示することで、複数の表示装置３をパネル体２に設置することで、複数の表示装置３に表示される表示情報を一括して把握することができ、かつ各々の表示装置３の配置位置に応じて更新時が異なっていても、新しい表示情報と古い表示情報を容易に識別することができる。
【００５４】
また、表示装置３に対して無線により電力を供給する電力供給手段としてのコイル２８，３１を備え、表示装置３は、コイル３１から供給された電力を用いて電子ペーパー１４を書き換えることで、表示装置３に電子ペーパー１４を書き換えるための電力を供給する内蔵バッテリを搭載したり、有線ケーブルにて電力を供給したりする必要が無くなり、表示装置３を軽量化したり、表示装置３の配置位置の変更を容易に行うことができる。
【実施例２】
【００５５】
次に、実施例２に係る情報表示システムにつき、図８、図９、図１０を参照して説明する。尚、前記実施例に示される構成部分と同一構成部分に付いては同一符号を付して重複する説明を省略する。図８は、実施例２における表示装置を示す正面図であり、図９は、表示装置がパネル体に取り付けられている状態を示す横断平面図であり、図１０は、集配監視システムの構成を示すブロック図である。
【００５６】
図１０に示すように、実施例２における集配監視システム１’は、パネル体２と、複数の表示装置２４と、管理サーバ２６と、により構成されている。尚、複数の表示装置２４には、それぞれの表示装置２４を識別可能な表示装置ＩＤが付与されている。
【００５７】
管理サーバ２６には、各県の集配所と通信を行うための通信部７と、パネル体２の配置面２ａにおける表示装置２４が取り付けられた配置位置などが登録されたデータベースを有する記憶装置９と、各表示装置２４に対して無線通信を行うための親機アンテナ１０と、パネル体２の配置面２ａにおける各県毎に関連した表示情報が更新する度に各県に相当する配置位置に取り付けられた表示装置２４を特定する本実施例における表示装置特定手段としての管理制御回路１１と、が設けられている。
【００５８】
各表示装置２４には、管理サーバ２６に対して無線通信を行うための子機アンテナ１３と、現在時刻を計時するＲＴＣ８（リアルタイムクロック）と、表示装置２４の表示画面２４ａを構成する電子ペーパー１４と、パネル体２のＲＦＩＤタグ３２を読み取り可能なリーダー３３と、表示装置２４内で各種制御を行うための表示制御回路１６と、表示制御回路１６に電力を供給するバッテリユニット２５と、が設けられている。尚、表示制御回路１６が表示装置ＩＤを記憶しており、表示装置２４が管理サーバ２６と通信を行う際に、該表示装置ＩＤが送信される。管理サーバ２６は、表示装置ＩＤによって該当する表示装置２４を特定可能となっている。
【００５９】
更に、図９に示すように、パネル体２の配置面２ａ内には、配置面２ａにおける座標情報を記憶したパッシブ型ＲＦＩＤタグ３２が設けられている。表示装置２４の背面に設けられたリーダー３３は、パネル体２のＲＦＩＤタグ３２の座標情報を読み取ることができる。
【００６０】
図８に示すように、表示装置２４の左下部には、バッテリユニット２５からの電力の供給のＯＮ−ＯＦＦを行うスイッチ３４が設けられている。このスイッチ３４をＯＮにすることで、電子ペーパー１４に電力が供給されて表示情報の書き換えが行われたり、リーダー３３によってＲＦＩＤタグ３２を読み取ったり、子機アンテナ１３を介して管理サーバ２６と無線通信を行ったりすることができる。
【００６１】
尚、スイッチ３４がＯＦＦの状態であっても、表示装置２４のＲＴＣ８には、表示制御回路１６を介して電力が供給され続けるようになっており、ＲＴＣ８は現在時刻を計時し続けるようになっている。そして、表示画面２４ａにおける右下部には、更新時表示部２４ｂが設けられており、表示画面２４ａに表示される表示情報よりも小さい更新時刻がデジタル表示されている。
【００６２】
次に、表示装置２４がパネル体２に取り付けられた状態で実施例２の集配監視システム１’が行う各種処理を説明する。先ず、表示装置２４をパネル体２の配置面２ａに取り付け、スイッチ３４を入れて表示装置２４を起動させる。リーダー３３でＲＦＩＤタグ３２を読み取ることにより表示装置２４の位置を検知する。表示装置２４は、読み取った座標情報と表示装置ＩＤを管理サーバ２６に送信する。
【００６３】
管理サーバ２６は、表示装置２４から受信した表示装置ＩＤと、座標情報から特定される表示装置配置位置と、を対応付けて記憶装置９の履歴テーブル（データベース）に登録する。そして、履歴テーブルの集配状況が更新されると、管理サーバ２６は、表示装置２４に対して、更新された集配状況を表示情報として送信する。
【００６４】
表示装置２４の表示制御回路１６が、管理サーバ２６から送信されてきた表示情報を受信すると、ＲＴＣ８から表示情報を受信した時点の時刻情報を取得する。そして、管理サーバ２６から送信された表示情報を表示画面２４ａに書き込むとともに、表示装置２４は、表示情報を受信したときに取得した時刻情報を、更新処理を行った更新時刻として更新時表示部２４ｂに表示する。
【００６５】
尚、本実施例では、表示制御回路１６が、表示装置２４のスイッチ３４をＯＮにしたときから断続的にリーダー３３によって、パネル体２に設けられたＲＦＩＤタグ３２を読み取るようにしており、表示制御回路１６は、検知を行う毎に読み取った座標情報を管理サーバ２６に送信している。
【００６６】
管理制御回路１１は、履歴テーブルを参照し、表示装置２４から送信されてきた座標情報に基づいて、該当する表示装置２４の表示装置ＩＤの表示装置配置位置が、それまで履歴テーブルに登録されていたものと異なっていることを条件に、履歴テーブルの表示装置配置位置を書き換えるとともに、表示装置ＩＤと集配状況の対応付けも変更する。この変更に基づいて表示装置２４で表示される表示情報を変更する。こうすることで、表示装置２４の配置位置が変更されると自動的に表示装置２４の表示画面２４ａに表示される表示情報を変更することができる。
【００６７】
以上、実施例２における集配監視システム１’では、表示装置２４は、現在時刻を計時するＲＴＣ８を有し、表示装置２４は、電子ペーパー１４の表示画面２４ａを書き換えるときに、ＲＴＣにて計時された時刻情報に基づいて更新時表示部２４ｂの更新時を書き換える。そのため表示画面２４ａの表示情報を書き換えるときに、表示装置２４がＲＴＣ８に基づいて自動的に更新時表示部２４ｂの更新時を書き換えることができ、情報表示システム１’の制御を簡素化できる。また、表示装置２４には、表示情報のみの更新データを入力すればよくなり、表示装置２４に入力するデータ量を抑えることができる。
【００６８】
以上、本発明の実施例を図面により説明してきたが、具体的な構成はこれら実施例に限られるものではなく、本発明の要旨を逸脱しない範囲における変更や追加があっても本発明に含まれる。
【００６９】
例えば、前記実施例１では、情報表示システムが運送会社の本部集配所に設けられ、各県に設けられた集配所の入庫数、出庫数、保管数などの集配状況を一括して把握して管理できる集配監視システムとして説明したが、情報表示システムはこれら本部集配所に限らず、市場等においてパネル体２を設置し、配置面２ａに野菜や魚介類等の生産者の顔写真と名前をプリントし、顔写真の近傍に表示装置３を取り付けることで商品名とその値段を表示させ、競り等で商品の値段が変動する様子を表示するシステムとして使用してもよい。
【００７０】
また、前記実施例１では、更新時表示部３ｂに更新時間帯を示すドット状のセグメント１８を表示させたが、更新時表示部３ｂにはダイヤ型やハート型等、他の形状のシンボルマークを表示させてもよい。
【００７１】
また、前記実施例１では、更新時表示部３ｂは四つの時間帯によって異なるセグメント１８を表示させていたが、更新時表示部３ｂに表示されるセグメント１８の数によって更に細かい更新時間帯を表示できるようにしてもよい。
【００７２】
また、前記実施例１では、更新時表示部３ｂを表示画面３ａの四隅に設けたが、更新時表示部３ｂが設けられる箇所は、表示情報の表示を混同しない箇所であれば、何処でもよく、例えば、表示画面３ａの下端部等の一箇所に四つのセグメント１８を纏めて設けるようにしてもよい。
【００７３】
また、前記実施例１では、更新時表示部３ｂを表示画面３ａの四隅に設けたが、更新時表示部３ｂを１つだけとし、更新時表示部３ｂに時計の長針と短針を表示することで更新時刻を表示するようにしてもよい。
【００７４】
また、前記実施例１では、表示情報が更新されてから１８時間経過すると、表示画面３ａに表示されている表示情報が削除されるようにしたが、更新時刻から日付が変わったら表示されるセグメント１８の形状や色を変更するようにし、何日前の表示情報なのかを認識できるようにしてもよい。
【図面の簡単な説明】
【００７５】
【図１】実施例１における集配監視システムを示す正面図である。
【図２】パネル体の内部構造を示す一部破断拡大図である。
【図３】表示装置を示す正面図である。
【図４】表示装置がパネル体に取り付けられている状態を示す横断平面図である。
【図５】図３における表示装置の表示画面の構造を示す要部拡大断面図である。
【図６】集配監視システムの構成を示すブロック図である。
【図７】記憶装置に記憶されている履歴テーブルを示す図である。
【図８】実施例２における表示装置を示す正面図である。
【図９】表示装置がパネル体に取り付けられている状態を示す横断平面図である。
【図１０】集配監視システムの構成を示すブロック図である。
【符号の説明】
【００７６】
１１’            集配監視システム（情報表示システム）
２                パネル体
２ａ              配置面（補助情報付与手段）
３                表示装置
３ａ              表示画面
３ｂ              更新時表示部
４                管理サーバ（管理装置）
５                磁石（磁力取付手段，磁性体）
８                ＲＴＣ（クロック）
９                記憶装置
１０              親機アンテナ（無線通信手段）
１１              管理制御回路（表示装置特定手段）
１３              子機アンテナ（無線通信手段）
１４              電子ペーパー
１５              ＲＦＩＤタグ（配置位置検知手段）
１６              表示制御回路
１７              リーダー（読取手段，配置位置検知手段）
１８              セグメント
２４              表示装置
２４ａ            表示画面
２４ｂ            更新時表示部
２５              バッテリユニット
２６              管理サーバ（管理装置）
２７              格子部（磁力取付手段，磁性体）
２８              コイル（電力供給手段）
２９              パネル体アンテナ
３０              パネル体制御回路
３１              コイル（電力供給手段）
３２              ＲＦＩＤタグ（配置位置検知手段）
３３              リーダー（読取手段，配置位置検知手段）
【図１】
2009133951.tif 000003
【図２】
2009133951.tif 000004
【図３】
2009133951.tif 000005
【図４】
2009133951.tif 000006
【図５】
2009133951.tif 000007
【図６】
2009133951.tif 000008
【図７】
2009133951.tif 000009
【図８】
2009133951.tif 000010
【図９】
2009133951.tif 000011
【図１０】
2009133951.tif 000012